(57)【要約】本態様は、無線リンク不良がある場合に、モバイル・デバイスが欠けている隣接セル関係を発見することを可能にすることに関連する。同じ無線リンク技術を利用する新しいセルに接続するのと実質的に、同時に不良が報告される。異なる無線リンク技術を利用するセルと再確立する場合、無線リンク不良情報（及び関連する欠けている隣接情報）は、同じ無線リンク技術を利用するセルとの接続が確立されるときに保持され、後に報告される。
2011520301.tif 000002
【特許請求の範囲】
【請求項１】
無線リンク不良に基づいてアクセス・ノードの隣接リストのアップデートを促進するための方法であって：
第１のアクセス・ノードで無線リンク不良の検知することと、なお、前記無線リンク不良は、欠けている隣接関係を示す；
タイマを開始することと；
前記タイマの終了の前に第２のアクセス・ノードとの第２のリンクを確立すること；
前記第２のアクセス・ノードに前記欠けている隣接関係を通知することと；
を備える方法。
【請求項２】
前記タイマは、Ｔｖａｌｉｄ＿ｉｎｆｒａ＿ｒｅｌａｔであり、前記欠けている隣接関係は、前記第１のアクセス・ノードと前記第２のアクセス・ノードとの間である、
請求項１に記載の方法。
【請求項３】
前記第１のアクセス・ノードと前記第２のアクセス・ノードは、同様の無線リンク技術を利用する、
請求項２に記載の方法。
【請求項４】
前記タイマの終了の検知することと；
前記無線リンク不良に関連する情報を廃棄することと；
をさらに備える請求項１に記載の方法。
【請求項５】
前記タイマは、Ｔｍｉｓｓ＿ｒｅｌａｔであり、前記方法は：
前記無線リンク不良の検出の後にＴｖａｌｉｄ＿ｉｎｔｅｒ＿ｒｅｌａｔタイマを開始することと；
Ｔｖａｌｉｄ＿ｉｎｔｅｒ＿ｒｅｌａｔタイマの終了の前に中間アクセス・ノードと通信リンクを確立することと；
Ｔｍｉｓｓ＿ｒｅｌａｔタイマを開始することと、をさらに備え、前記欠けている隣接関係は、前記第１のアクセス・ノードと前記中間アクセス・ノードとの間にあり、前記第１のアクセス・ノードと第２のアクセス・ノードは、同様の無線リンク技術を利用する、
請求項１に記載の方法。
【請求項６】
前記第１のアクセス・ノードと前記中間アクセス・ノードは、異なる無線リンク技術を利用することを特徴とする請求項５に記載の方法。
【請求項７】
Ｔｖａｌｉｄ＿ｉｎｔｅｒ＿ｒｅｌａｔタイマの終了を検知することと；
前記無線リンク不良と関連する情報を廃棄することと；
をさらに備える請求項５に記載の方法。
【請求項８】
前記Ｔｍｉｓｓ＿ｒｅｌａｔタイマの終了を検知することと；
前記無線リンク不良と関連する情報を廃棄することと；
をさらに備える請求項５に記載の方法。
【請求項９】
前記無線リンク不良を検知する前に前記第１のアクセス・ノードの識別を格納すること、
をさらに備える請求項１に記載の方法。
【請求項１０】
第１のアクセス・ノードとの無線リンク不良を検知し、タイマを開始し、前記タイマの終了の前に第２のアクセス・ノードとの第２のリンクを確立し、前記第２アクセス・ノードに前記欠けている隣接関係を通知することに関連する命令を保持するメモリと、なお、前記無線リンク不良は、欠けている隣接関係を示す；
前記メモリに接続されるプロセッサと、なお、前記プロセッサは、前記メモリ内に保持された前記命令を実行するように構成されること；
を備える無線通信装置。
【請求項１１】
前記第１のアクセス・ノードと前記第２のアクセス・ノードは、同様の無線リンク技術を利用し、前記タイマは、Ｔｖａｌｉｄ＿ｉｎｆｒａ＿ｒｅｌａｔタイマであり、前記欠けている隣接関係は、前記第１のアクセス・ノードと前記第２のアクセス・ノードとの間である、
請求項１０に記載の無線通信装置。
【請求項１２】
前記メモリは、前記タイマの終了の検知し、前記無線リンク不良に関連する情報を廃棄することに関連する命令をさらに保持する、
請求項１０に記載の無線通信装置。
【請求項１３】
前記タイマは、Ｔｍｉｓｓ＿ｒｅｌａｔタイマであり、前記メモリは、無線リンク不良の検知の後にＴｖａｌｉｄ＿ｉｎｔｅｒ＿ｒｅｌａｔタイマを開始し、前記Ｔｖａｌｉｄ＿ｉｎｔｅｒ＿ｒｅｌａｔタイマの終了の前に中間アクセス・ノードとの通信リンクを確立し、Ｔｍｉｓｓ＿ｒｅｌａｔタイマを開始することに関連する命令をさらに保持すること、なお、前記欠けている隣接関係は、前記第１のアクセス・ノードと前記中間アクセス・ノードとの間であり、前記第１のアクセス・ノードと第２のアクセス・ノードは、同様の無線リンク技術を利用する、
請求項１０に記載の無線通信装置。
【請求項１４】
前記メモリは、Ｔｖａｌｉｄ＿ｉｎｔｅｒ＿ｒｅｌａｔタイマ又はＴｍｉｓｓ＿ｒｅｌａｔタイマの終了を検知し、前記無線リンク不良に関連する情報を破棄することに関連する命令をさらに保持する、
請求項１０に記載の無線通信装置。
【請求項１５】
無線リンク不良の機能としてアクセス・ノード上の隣接リストのアップデートを可能にする無線通信装置であって：
第１のアクセス・ノードと無線リンク不良を検出するための手段と、なお、前記無線リンク不良は、欠けている隣接関係を示す；
タイマを開始するための手段と；
前記タイマの終了の前に第２のアクセス・ノードとの第２のリンクを確立するための手段と；
前記欠けている隣接関係を前記第２のアクセス・ノードに通知するための手段と；
を備える通信装置。
【請求項１６】
前記タイマは、Ｔｖａｌｉｄ＿ｉｎｆｒａ＿ｒｅｌａｔタイマであり、前記欠けている隣接関係は、同様の無線リンク技術を利用する第１のアクセス・ノードと第２のアクセス・ノードとの間にある、
請求項１５に記載の無線通信装置。
【請求項１７】
前記タイマは、Ｔｍｉｓｓ＿ｒｅｌａｔタイマであり、前記装置は：
前記無線リンク不良の検出の後にＴｖａｌｉｄ＿ｉｎｔｅｒ＿ｒｅｌａｔタイマを開始するための手段と；
前記Ｔｖａｌｉｄ＿ｉｎｔｅｒ＿ｒｅｌａｔタイマの終了の前に中間アクセス・ノードとの通信リンクを確立するための手段と；
前記Ｔｍｉｓｓ＿ｒｅｌａｔを開始するための手段と、なお、前記欠けている隣接関係は、前記第１のアクセス・ノードと前記中間アクセス・ノード及び同様の無線リンク技術を利用する、前記第１のアクセス・ノードと第２のアクセス・ノードである、
請求項１５に記載の無線通信装置。
【請求項１８】
コンピュータ可読媒体を備えるコンピュータ・プログラム製品であって、前記コンピュータ可読媒体は：
第１のアクセス・ノードでの無線リンク不良を検出することをコンピュータに生じさせるための第１のセットのコードと、なお、前記無線リンク不良は、欠けている隣接関係を示す；
タイマをアクティブにすることを前記コンピュータに生じさせる第２のセットのコードと；
前記タイマの終了前に第２のアクセス・ノードとの第２の通信リンクを確立することを前記コンピュータに生じさせる第３のセットのコードと；
前記第２のアクセス・ノードに前記欠けている隣接関係を通知することをコンピュータに生じさせる第４のセットのコードと；
を備えるコンピュータ・プログラム製品。
【請求項１９】
前記タイマは、Ｔｖａｌｉｄ＿ｉｎｆｒａ＿ｒｅｌａｔタイマであり、前記欠けている隣接関係は、同様の無線リンク技術を利用する前記第１のアクセス・ノードと前記第２のアクセス・ノードとの間にある、
請求項１８に記載のコンピュータ・プログラム製品。
【請求項２０】
前記タイマは、Ｔｍｉｓｓ＿ｒｅｌａｔタイマであり、前記コンピュータ可読媒体は：
前記無線リンク不良の検知の後にＴｖａｌｉｄ＿ｉｎｔｅｒ＿ｒｅｌａｔタイマをアクティブにすることを前記コンピュータに生じさせる第５のセットのコードと；
前記Ｔｖａｌｉｄ＿ｉｎｔｅｒ＿ｒｅｌａｔタイマの終了の前に中間アクセス・ノードとの通信リンクを確立させることを前記コンピュータに生じさせるための第６のセットのコードと；
前記Ｔｍｉｓｓ＿ｒｅｌａｔをアクティブにすることを前記コンピュータに生じさせるための第７のセットのコードと、なお、前記欠けている隣接関係は、前記第１のアクセス・ノードと前記中間アクセス・ノードとの間にあり、前記第１のアクセス・ノードと第２のアクセス・ノードは、同様の無線リンク技術を利用する；
請求項１８に記載のコンピュータ・プログラム製品。
【請求項２１】
無線リンク不良に基づいてアクセス・ノードの隣接リストをアップデートすることを可能にするように構成された少なくとも１つのプロセッサであって：
第１のアクセス・ノードとの無線リンク不良を検知するための第１のモジュールと、なお、前記無線リンク不良は、欠けている隣接関係を示す； 
タイマを開始するための第２のモジュールと；
前記タイマの終了の前に第２のアクセス・ノードと第２のリンクを確立するための第３のモジュールと；
前記第２のアクセス・ノードに前記欠けている隣接関係を通知するための第４のモジュールと；
を備えるプロセッサ。
【請求項２２】
前記タイマは、Ｔｖａｌｉｄ＿ｉｎｆｒａ＿ｒｅｌａｔタイマであり前記欠けている隣接関係は、同様の無線リンク技術を利用する第１のアクセス・ノードと第２のアクセス・ノードとの間である、
請求項２１に記載のプロセッサ。
【請求項２３】
前記タイマは、Ｔｍｉｓｓ＿ｒｅｌａｔタイマであり、前記方法は：
前記無線リンク不良の検知の後にＴｖａｌｉｄ＿ｉｎｔｅｒ＿ｒｅｌａｔタイマを開始するための第５のモジュールと；
前記Ｔｖａｌｉｄ＿ｉｎｔｅｒ＿ｒｅｌａｔタイマの終了の前に中間アクセス・ノードとの通信リンクを確立するための第６のモジュールと；
前記Ｔｍｉｓｓ＿ｒｅｌａｔタイマを開始するための第７のモジュールと、をさらに備え、前記欠けている隣接関係は、前記第１のアクセス・ノードと前記中間アクセス・ノードとの間であり、前記第１のアクセス・ノードと第２のアクセス・ノードは、同様の無線リンク技術を利用する、
請求項２１に記載のプロセッサ。
【請求項２４】
無線リンク不良の関数としてアクセス・ノード内の隣接リストに対するアップデートを促進するための方法であって：
エンド・ノードとの無線リンクを確立することと；
前記エンド・ノードから前記エンド・ノードと第１のアクセス・ノードとの間の無線リンク不良の関数である欠けている隣接関係情報を受信することと；
ネットワーク・エンティティに前記無線リンク不良情報を報告することと；
備える方法。
【請求項２５】
前記ネットワーク・エンティティから隣接リストに対するアップデートを受信することと、なお、前記欠けている隣接関係は、第１のアクセス・ノードと前記エンド・ノードとの前記無線リンクを確立したアクセス・ノードとの間であること、
をさらに備える請求項２４に記載の方法。
【請求項２６】
前記受信した欠けている隣接関係は、異なる無線アクセス技術を利用する第１のアクセス・ノードと中間アクセス・ノードとの間である、請求項２４に記載の方法。
【請求項２７】
エンド・ノードとの無線リンクを確立し、前記エンド・ノードから前記エンド・ノードと第１のアクセス・ノードとの間の無線リンク不良の関数である、欠けている隣接関係情報を得て、ネットワーク・エンティティに前記無線リンク不良情報を報告することに関連する命令を保持するメモリと；
前記メモリと結合し、前記メモリ内に保持された情報を実行するよう構成されたプロセッサと；
を備える無線通信装置。
【請求項２８】
前記メモリは、前記ネットワーク・エンティティから隣接リストに対するアップデートを受信することに関連する命令を更に保持する、なお、前記欠けている隣接情報は、第１のアクセス・ノードと前記エンド・ノードとの前記無線リンクを確立したアクセス・ノードの間である、
請求項２７に記載の無線通信装置。
【請求項２９】
前記受信した欠けている隣接関係は、第１のアクセス・ノードと中間アクセス・ノードとの間である、
請求項２７に記載の無線通信装置。
【発明の詳細な説明】
【関連出願】
【０００１】
本出願は、無線リンク不良に基づいて隣接リストを最適化する装置及び方法（APPARATUS AND METHOD FOR BASING NEIGHBOR LIST OPTIMIZATIUON ON A RADIO LINK FAILURE）と題される、２００７年１１月１６日出願の米国仮特許出願第６０／９８８，６４２号の利益を主張する。この仮出願は、参照によって本明細書に組み込まれる。
【技術分野】
【０００２】
以下の説明は、一般に無線通信に関し、特に、無線通信ネットワーク内のアクセス・ノードの隣接リストをアップデートすることに関する。
【背景技術】
【０００３】
無線通信システムは、ユーザがどこに（例えば、構造物内かあるいは外部に）位置するか、且つユーザが静止しているか、（例えば、乗り物又は歩きで）移動しているかにかかわらず様々なタイプの通信を供給し、情報を通信するために広く展開されている。例えば、音声、データ、ビデオなどは、無線通信システムを通じて供給されることができる。典型的な無線通信システム、あるいはネットワークは、利用可能なシステム・リソース（例えば、帯域幅および送信電力）の共有によって、複数のユーザとの通信をサポートすることができる複数のアクセス・システムであることができる。システムは、周波数分割多重（ＦＤＭ）、時分割多重（ＴＤＭ）、符号分割多重（ＣＤＭ）、直交周波数分割多重（ＯＦＤＭ）、３ＧＰＰロング・ターム・エボリューション（ＬＴＥ）のような様々な多重接続技術を使用することができる。
【０００４】
一般に、無線多重接続通信システムは、複数の無線端末のための通信を同時にサポートすることができる。各端末は、順方向リンク及び逆方向リンク上での伝送を通じて１つ又は複数の基地局と通信する。順方向リンク（あるいはダウンリンク）は、基地局から端末までの通信リンクを称し、逆方向リンク（あるいはアップリンク）は、端末から基地局までの通信リンクを称する。この通信リンクは、単一入力単一出力、多入力単一出力、又は多入力多出力（ＭＩＭＯ）を通じて確立することができる。
【０００５】
ＭＩＭＯシステムは、データ伝送のために複数（ＮＴ）の送信アンテナ及び複数（ＮＲ）の受信アンテナを使用する。ＮＴ個の送信アンテナ及びＮＲ個の受信アンテナによって形成されたＭＩＭＯチャネルは、空間チャネルとも称される、ＮＳ個の独立チャネルに分解することができる。ここで、ＮＳ≦ｍｉｎ｛ＮＴ，ＮＲ｝である。ＮＳ個の独立チャネルの各々は、次元（dimension）に対応する。ＭＩＭＯシステムは、複数の送信アンテナ及び受信アンテナによって作成された追加次元の利用を通じて改善された性能（例えば、より高い処理能力、及び／又はより高い信頼性）を提供することができる。
【０００６】
ＭＩＭＯシステムは、時分割複信（ＴＤＤ）システム及び周波数分割複信（ＦＤＤ）システムをサポートする。ＴＤＤシステムにおいて、順方向リンク及び逆方向リンクは、同じ周波数領域上であるため、相反定理が逆方向リンク・チャネルから順方向リンク・チャネルの推定を可能にする。これは、複数のアンテナがアクセス・ポイントで利用可能な場合、アクセス・ポイントに順方向リンク上で送信ビーム形成利得を抜き出すことを可能にさせる。
【０００７】
通信システムは、エンド・ノード（例えば、デバイス）がネットワークに接続されることを通じて多数のアクセス・ノードを含むことができる。典型的に、エンド・ノードは、確立された接続を通じて直接的にアクセス・ノード（例えば、アクセス・ルータ）と通信する。このような通信システムは、ノード間の２方向通信をサポートするためにエンド・ノードとアクセス・ノードとの間の双方向通信リンクに依存する。地理的に隣接するセルをサーブしているアクセス・ノードは、様々なパラメータがいくつかのその隣接セルに対応するアクセス・ノードで構成されている間中、手動構成（manual configuration）を通じて互いに知ることができる。そのような構成は、労働集約的であり、ヒューマン・エラーによってエラー起こしがちであり、無線ネットワークのネットワーク・レイアウトの現実は、ネットワークの拡張、システムの段階的な展開、環境条件、に加えて他の要因によって変化する。
【発明の概要】
【０００８】
以下においては、ある態様の基本的な理解を提供するために１つ又は複数の態様の簡単化された要約を表わす。この要約は、すべての予期された態様の広範囲な概観でなく、全ての態様のキーや重要な要素を識別もせず、任意或いは全ての態様の範囲を詳細に描写しないように意図されている。その唯一の目的は、後に表されるより詳細な説明の前置きとして単純化された形式で１つ又は複数のある概念を示すことである。
【０００９】
１つ又は複数の特徴に従い、それらの開示に対応して、様々な態様は、無線リンク不良に基づいてアクセス・ノードの隣接リストを直接的にアップデートすることに関して説明される。モバイル・デバイスが無線リンク不良後にアクセス・ノードとの接続を迅速に再確立する状況において、通信が失われたアクセス・ノートと通信が再確立されたアクセス・ノードとの間に欠けている隣接関係（missing neighbor relationship）がある可能性が高い。
【００１０】
一つの態様は、無線リンク不良に基づいてアクセス・ノード上で隣接リストのアップデートを促進するための方法に関連する。方法は、第１のアクセス・ノードとの、欠けている隣接関係を示す、無線リンク不良を検出すること、及びタイマを開始させることを含む。更に、方法は、タイマの終了の前に第２のアクセス・ノードとの第２のリンクを確立することと、第２のアクセス・ノードに欠けている隣接関係を通知することを含む。
【００１１】
別の態様は、メモリ及びプロセッサを含む無線通信装置に関連する。メモリは、第１のアクセス・ノードとの無線リンク不良を検出すること、及びタイマをスタートすることに関連する命令を保持する。更に、メモリは、タイマの終了の前に第２のアクセス・ノードとの第２のリンクを確立すること、及び第２のアクセス・ノードに欠けている隣接関係を通知することに関連する命令を保持する。無線リンク不良は、欠けている隣接関係を示す。プロセッサは、メモリと接続され、メモリ内に保持された命令を実行するように構成される。
【００１２】
別の態様は、無線リンク不良の関数としてアクセス・ノード上で隣接リストのアップデートをすることができる無線通信装置に関連する。装置は、第１のアクセス・ノードとの無線リンク不良を検知するための手段を含む。無線リンク不良は、欠けている隣接関係を示す。更に、装置は、タイマをスタートするための手段と、タイマの終了の前に第２のアクセス・ノードとの第２のリンクを確立するための手段を含む。さらに、装置は、第２のアクセス・ノードに欠けている隣接関係を通知するための手段を含む。
【００１３】
また別の態様は、コンピュータ可読媒体を含むコンピュータ・プログラム製品に関連する。コンピュータ可読媒体は、第１のアクセス・ノードとの無線リンク不良を検出することをコンピュータにもたらすための第１のセットのコードを含む。無線リンク不良は、欠けている隣接関係を示す。更に、コンピュータ可読媒体は、タイマを活性化させることをコンピュータにもたらすための第２のセットのコードと、タイマの終了の前に第２のアクセス・ノードとの第２のリンクを確立することをコンピュータにもたらすための第３のセットのコードを含む。更に、コンピュータ可読媒体には、第２のアクセス・ノードに欠けている隣接関係を通知する事をコンピュータにもたらすための第４のセットのコードを含む。
【００１４】
更なる態様は、無線リンク不良に基づいてアクセス・ノードの隣接リストに対してアップデートすることができるように構成された少なくとも１つのプロセッサに関連する。プロセッサは、第１のアクセス・ノードとの無線リンク不良を検出するための第１のモジュールを含む。無線リンク不良は、欠けている隣接関係を示す。更に、プロセッサは、タイマを活性化させるための第２のモジュールと、タイマの終了の前に第２のアクセス・ノードとの第２のリンクを確立するための第３のモジュールとを含む。更に、第２のアクセス・ノードに欠けている隣接関係を通知するための第４のモジュールは、プロセッサに含まれる。
【００１５】
また、別の態様は、無線リンク不良の関数としてアクセス・ノード内の隣接リストに対してアップデートを促進するための方法に関連する。方法は、エンド・ノードとの無線リンクを確立することを含む。更に、方法は、エンド・ノードと第１のアクセス・ノードとの間の無線リンク不良の関数である、欠けている隣接関係情報をエンド・ノードから受信する事を含む。更に、方法は、ネットワーク・エンティティに無線リンク不良情報を報告することを含む。
【００１６】
また、別の態様は、メモリとプロセッサを含む無線通信装置に関連する。メモリは、エンド・ノードとの無線リンクを確立ことと、エンド・ノードと第１のアクセス・ノードとの間の無線リンク不良の関数である欠けている隣接関係情報をエンド・ノードから受信することと、に関連する命令を保持する。更に、メモリは、ネットワーク・エンティティに無線リンク不良情報を報告することに関連する命令を保持する。プロセッサは、メモリと接続され、メモリに保持された命令を実行するように構成されている。
【００１７】
以前の及び関連付けられた結果を完成させるために、１つ又は複数の態様は、以下に完全に説明され、特に請求項内で指摘される特徴を備える。以下の説明及び添付された図は、１つ又は複数の態様の特徴を詳細に示す。しかしながら、これらの特徴は、これらの態様の原理が使用されることができるほんの少しの方法が示されているのみである。他の利点及び新規な特徴は、図面を考慮する場合に、以下の詳細な説明から明らかになるだろう。更に、開示された態様は、そのような態様及びそれら同等の全てを含むように意図される。
【図面の簡単な説明】
【００１８】
【図１】図１は、ここに示される様々な態様による、無線通信システムを例示する。
【図２】図２は、１つ又は複数の態様によって複数の無線通信システムを例示する。
【図３】図３は、１つの態様に従い、隣接セルが同様の無線アクセス技術を利用する、無線リンク不良に基づいた隣接リスト・スキームを利用する通信システムを例示する。
【図４】図４は、１つの態様に従い、中間無線アクセス技術状況での無線リンク不良に基づいた隣接リスト・スキームを利用する通信システムを例示する。
【図５】図５は、無線リンク不良に基づいたアクセス・ノードの隣接リストを自己構成するためのシステムを例示する。
【図６】図６は、１つの態様に従い、同様の無線アクセス技術を利用する隣接セルのための無線リンク不良に基づいた隣接リストを利用するための方法を例示する。
【図７】図７は、１つの態様に従い、中間無線アクセス技術での無線リンク不良に基づいた隣接リスト・スキームを利用するための方法を例示する。
【図８】図８は、ここに開示された態様による、欠けている隣接関係を報告するための方法を例示する。
【図９】図９は、１つ又は複数の開示された態様による、無線通信ネットワークでの欠けている隣接関係の自己構成を促進するシステムを例示する。
【図１０】図１０は、ここに示された様々な態様による、無線リンク不良に基づいて隣接リストをアップデートすることを促進するシステムを例示する。
【図１１】図１１は、様々な態様に従い、例示的な無線通信システムを示す。
【図１２】図１２は、１つの態様による、無線リンク不良に基づいてアクセス・ノード上で隣接リストのアップデートを促進する例示的なシステムを示す。
【図１３】図１３は、１つの態様に従い、アクセス・ノードへの隣接リストをアップデートすることを促進する例示的なシステム１３０を示す。
【発明を実施するための形態】
【００１９】
今、様々な態様は、図面を参照して説明される。以下の説明において、説明の目的のために、多数の特定の詳細な説明は、１つ又は複数の態様の完全な理解を提供するために述べられる。しかしながら、そのような態様がこれらの特定の詳細な説明が無くても実施できることは、明確であることができる。他の態様において、既知の構造及びデバイスは、これらの態様の説明を容易にするためにブロック図の形式で示される。
【００２０】
本出願で使用されるように、用語「コンポーネント」、「モジュール」、「システム」、などは、コンピュータに関連するエンティティ、ハードウェア、ファームウェア、ハードウェアとソフトウェアの組み合わせ、ソフトウェア、あるいは実行中のソフトウェアのいずれかを参照するように意図される。例えば、コンポーネントは、プロセッサ上で動作しているプロセス、プロセッサ、オブジェクト、実行可能ファイル、実行中のスレッド、プログラム、及び／又はコンピュータであることができるが、これらに限定されない。例示のために、計算デバイス上で動作しているアプリケーション、及び計算デバイスの両方は、コンポーネントになり得る。１つ又は複数のコンポーネントは、実行のプロセス、及び／又はスレッド内に存在することができる。また、コンポーネントは、１台のコンピュータ、及び／又は２台以上のコンピュータ間に配置されることができる。これに加えて、これらのコンポーネントは、その上に格納される各種データ構造を有する様々なコンピュータ可読媒体から実行することができる。コンポーネントは、１つ又は複数のデータ・パケット（例えばローカル・システム、配置されたシステム内の別のコンポーネントと情報を交換する１つのコンポーネントからのデータ、及び／または信号経由の他のシステムを備えるインターネットのようなネットワークにわたるデータ）を有する信号に従うようなローカル及び／又はリモート・プロセス経由で通信することができる。
【００２１】
更に、様々な態様は、モバイル・デバイスに関してここに説明される。モバイル・デバイスは、システム、加入者ユニット、加入者局、移動局、移動体、無線端末、エンド・ノード、ノード、デバイス、遠隔ステーション、遠隔端末、アクセス端末、ユーザ端末、端末、無線通信デバイス、無線通信装置、ユーザ・エージェント、ユーザ・デバイス、あるいはユーザ設備（ＵＥ）の機能性のうちのいくらかあるいはすべてとも呼ばれ、且つ含むことができる。モバイル・デバイスは、携帯電話、コードレス電話、セッション初期化プロトコル（ＳＩＰ）電話、スマート・フォン、ワイヤレス・ローカル・ループ（ＷＬＬ）局、携帯情報端末（ＰＤＡ）、ラップトップ、携帯型の通信装置、携帯型のコンピューティング・デバイス、衛星無線、無線モデム・カード、及び／又は、無線システムわたって通信するための別の処理デバイスとなることができる。さらに、様々な態様は、基地局に関してここに説明される。基地局は、無線端末と通信するために利用され、アクセス・ポイント、アクセス・ノード、ノード、ノードＢ、ｅ−ノードＢ、ｅ−ＮＢ、あるいは他のあるネットワーク・エンティティの機能性のうちのいくらかあるいはすべてとも呼ばれることができ、且つ含むことができる。
【００２２】
様々な態様又は特徴は、所定の数の装置、コンポーネント、モジュール、などを含むシステムの用語で示されることになる。様々なシステムが追加のデバイス、コンポーネント、モジュールなどを含むことができる、及び／又は図に関して議論された、全てのデバイス、コンポーネント、モジュールなどのすべてを含むとは限られない、ことを理解し、認識すべきである。更に、これらのアプローチの組み合わせが使用されることができる。
【００２３】
さらに、主題の説明において、単語「例示的（exemplary）」は、一例（an example）、実例（instance）、例証（illustration）として取り扱われることを意味するために使用される。「例示的」としてここで説明された他の態様又は設計は、他の態様或いは設計にわたって好ましい又は有利なものとして設計される必要はない。どちらかといえば、単語の例示的の使用は、具体的なやりかたで概念を表わすために意図される。
【００２４】
今、図１を参照することは、ここに示される様々な態様に従う、無線通信システム１００を例証することである。システム１００は、互いに、及び／又は１つ又は複数のモバイル・デバイス１０４と無線通信信号を受信し、送信し、繰り返すなどをする１つ又は複数のセクタ内の１つ又は複数の基地局１０２を含むことができる。各基地局１０２は、複数の送信機チェーン及び受信機チェーン（例えば、各送信アンテナ及び各受信アンテナのための１つ）を含むことができる。なお、それらの各々は、次に、送信及び受信信号に関連する複数のコンポーネント（例えば、プロセッサ、変調器、マルチプレクサ、復調器、出マルチプレクサ、アンテナなど）を含む。各モバイル・デバイス１０４は、多入力多出力（ＭＩＭＯ）システムのために利用されることができる１つ又は複数の送信機チェーン及び受信機チェーンを含むことができる。各送信機及び受信機チェーンは、当業者によって識別されることになるような、送信及び受信信号に関連する複数のコンポーネント（例えばプロセッサ、変調器、マルチプレクサ、復調器、デマルチプレクサ、アンテナなど）を含むことができる。
【００２５】
システム１００は、無線リンク不良のイベントから情報を抽出し、隣接リストに対して自動的にアップデートするための情報を利用するように構成されることができる。モバイル・デバイスが（時々「セル」又は「アクセス・ノード」としてここに参照される）第１の基地局との接続を失い、第２の基地局との接続を再確立することができるとき、十分に速く行なわれた場合のその再確立は、隣接関係を構築するために利用されることができる。一般に、各基地局は、隣接基地局のリストを管理する。それは、モバイル・デバイスがモバイル・デバイスの移動によりある基地局から別の基地局に移されることになっている場合、ハンドオフを促進するために利用されることができる。基地局が（アクセス・ノードの）隣接リストに含まれていないことがある場合、欠けている情報は、ハンドオフ手続きに加えて他のシステム測定に悪い影響があるのに加えて、効率的なシステム通信を確立し、維持するためにモバイル・デバイスによって実行される他のシステムの測定にも悪い影響がある。
【００２６】
今、図２を参照して、１つ又は複数の態様に従う多元接続無線通信システム２００を示す。無線通信システム２００は、１つ又は複数のユーザ・デバイスと接続している１つ又は複数の基地局を含むことができる。各基地局は、複数のセクタのためのサービスエリアを供給する。３つのセクタ基地局２０２は、１つのグループは、アンテナ２０４と２０６を含み、別のグループは、アンテナ２０８と２１０を含み、第３のグループは、アンテナ２１２と２１４を含む、複数のアンテナ・グループを示す。図によれば、２本のアンテナだけが各アンテナ・グループのために示されているが、より多く又はより少数のアンテナが各アンテナ・グループのために利用されることができる。モバイル・デバイス２１６は、アンテナ２１２と２１４と通信している。ここで、アンテナ２１２と２１４は、順方向リンク２１８を通じてモバイル・デバイス２１６に情報を送信し、逆方向リンク２２０を通じてモバイル・デバイス２１６から情報を受信する。順方向リンク（あるいはダウンリンク）は、基地局からモバイル・デバイスまでの通信リンクを指し、逆方向リンク（あるいはアップリンク）は、モバイル・デバイスから基地局までの通信リンクを指す。モバイル・デバイス２２２は、アンテナ２０４と２０６と通信している。ここで、アンテナ２０４と２０６は、順方向リンク２２４を通じてモバイル・デバイス２２２に情報を送信し、逆方向リンク２２６を通じてモバイル・デバイス２２２から情報を受信する。例えば、ＦＤＤシステムにおいて、通信リンク２１８、２２０、２２４及び２２６は、通信のための異なる周波数を利用することができる。例えば、順方向リンク２１８は、逆方向リンク２２０によって利用される周波数と異なる周波数を使用することができる。
【００２７】
アンテナの各グループ、及び／又はそれらが通信するために示されるエリアは、基地局２０２のセクタとして示されることができる。１つ又は複数の態様において、アンテナ・グループの各々は、基地局２０２によってカバーされるセクタ又はそのエリアのモバイル・デバイスと通信するために示されている。基地局は、端末と通信するために使用される固定局であることができる。
【００２８】
順方向リンク２１８と２２４を通じた通信において、基地局２０２の送信アンテナは、異なるモバイル・デバイス２１６と２２２のための順方向リンクの信号対雑音比を改善するためにビーム形成を利用することができる。更に、そのサービスエリアにわたって任意に散在しているモバイル・デバイスに送信するためにビーム形成することを利用する基地局は、そのサービスエリア内の全てのモバイル・デバイスに単一のアンテナを通じて送信する基地局によって引き起こされる、干渉より隣接セル内のモバイル・デバイスに対してより少ない干渉を引き起こし得る。
【００２９】
図３は、１つの態様に従い、隣接セルが同様の無線アクセス技術を利用する、無線リンク不良に基づく隣接リスト・スキームを利用する通信システム３００を例証する。第１のアクセス・ノード（例えば、基地局）とモバイル・デバイスとの間に失われた接続がある場合、モバイル・デバイスは、第２のアクセス・ノードとの接続を再確立することを試みる。再接続プロセスに関連する情報は、隣接関係を構築し、各アクセス・ノードが、例えば隣接リストのような、隣接しているアクセス・ノードに関連するアップデートされた情報を維持することを可能にするシステム３００によって利用されることができる。モバイル・デバイスは、システム３００の測定及びアクセス・ノード間のハンドオーバを促進するために、アクセス・ノードによって提供される隣接リストを利用することができる。したがって、システム３００は、関係の自動構築を可能にすることができる。それは、様々なプランニング・ツールによって及び／または手動で構成されるそのような関係の必要性を緩和する。
【００３０】
システム３００は、通信ネットワーク内の様々なノード（例えば基地局、モバイル・デバイスなど）と通信することができる無線通信装置３０２を含む。無線通信装置３０２は、例えば、アクセス端末（例えば、図１のアクセス端末１０４、図２のアクセス端末２１６及び２２２）又はそのようなものになり得る。例証されるように、通信装置３０２は、第１のセル又は第１のアクセス・ノード３０６（例えば、ノード１）との無線リンク３０４を確立する。不良検知器３０８は、リンク３０４をモニタし、無線リンク３０４上で「Ｘ」によって示される、無線リンク不良を検出することができる。不良の検出後、タイマＴｖａｌｉｄ＿ｉｎｆｒａ＿ｒｅｌａｔ３１０は、開始される。ここで、「Ｔ」は、タイマを示し、「ｖａｌｉｄ」は、有効期間を示し、「ｉｎｆｒａ」は、無線リンク不良後を示し、「ｒｅｌａｔ」は、関係を示す。タイマＴｖａｌｉｄ＿ｉｎｆｒａ＿ｒｅｌａｔ３１０は、数秒で測定されることができるような、限定された持続時間を備える有効範囲又は期間を有する。タイマＴｖａｌｉｄ＿ｉｎｆｒａ＿ｒｅｌａｔ３１０は、隣接アクセス・ノードと再接続の追跡することを許可するだけの持続時間を有するべきであるが、非隣接アクセス・ノードとの接続を追跡するだけの長さを有するべきではない。
【００３１】
アイデンティティ（identity）のような、第１のアクセス・ノード３０６に関連する情報は、通信装置３０２（例えば、メモリ３１２）に関連した記憶媒体で保持することができる。無線リンク不良になる前の最後のサービング・セル（例えば、第１のアクセス・ノード３０６）のアイデンティティは、無線リンク検出の前に保持されることができ、無線リンク不良の検出されるようなタイマ３１０が開始されるときと実質的に同時に保持されることができ、又は異なるときに保持されることができる。タイマＴｖａｌｉｄ＿ｉｎｆｒａ＿ｒｅｌａｔ３１０の終了において、第１のアクセス・ノード３０６に関連する情報は、破棄される（例えば、もはや通信装置３０２又はメモリ３１２によって維持されない）。
【００３２】
通信装置３０２は、別のセルとの無線リンクを再確立することを試みる。この例示において、通信装置３０２は、第２のアクセス・ノード３１６（例えば、ノード２）との無線リンク３１４を確立する。通信装置３０２は、無線リンク３１４がタイマＴｖａｌｉｄ＿ｉｎｆｒａ＿ｒｅｌａｔ３１０の終了の前に確立されたかどうか判断する。リンク３１４がタイマＴｖａｌｉｄ＿ｉｎｆｒａ＿ｒｅｌａｔ３１０のタイム・アウトの前に確立された場合、通信装置３０２は、第２のアクセス・ノード３１６が第１のアクセス・ノード３０６と同じ無線アクセス技術を利用するかどうか判断する。ノード３０６と３１６の両方が同じ無線・アクセス技術を利用する場合、伝送機３１８は、新しいセル（例えば、第２のアクセス・ノード３１６）に最後のサービング・セル（例えば、第１のアクセス・ノード３０６）についての格納されたアイデンティティを報告する。ノード３０６と３１６が異なる無線アクセス技術を利用する場合に関連する情報は、以下の図４を参照して議論されることになる。
【００３３】
第２のアクセス・ノード３１６は、ネットワーク・エンティティ３２０（例えば、動作及び保守エンティティ）に第１のアクセス・ノード３０６と第２のアクセス・ノード３１６との間の欠けている隣接関係（例えば、欠けているＮｏｄｅ１→Ｎｏｄｅ２の隣接関係）についての情報を報告することができる。ネットワーク３２０は、３２２及び３２４で例証されるように、第１のアクセス・ノード３０６及び／又は第２のアクセス・ノード３１６の隣接リストを選択的にアップデートすることができる。
【００３４】
システム３００は、通信装置３０２に効果的に接続されたメモリ３１２を含むことができる。メモリ３１２は、通信装置３０２の外側に存在する、又は通信装置３０２内に存在することができる。無線リンクが一定間隔内（例えば、タイマＴｖａｌｉｄ＿ｉｎｆｒａ＿ｒｅｌａｔ３１０の有効期間内）で首尾よく確立された場合、メモリ３１２は、無線リンク不良と関連する情報を得て、報告することと関連する情報を格納することができる。更に、メモリ３１２は、システム３００内で送受信された信号に関連する他の適切な情報を格納することができる。メモリ３１２は、通信装置３０２とノード３０６、３１６との間の通信を制御する行動を取る、無線リンク不良と関連するプロトコルを格納することができる。そのようなシステム３００は、ここで説明されるように、無線ネットワークでの改善された通信を達成するために、格納されたプロトコル及び／又はアルゴリズムを使用することができる。
【００３５】
ここに説明されたデータ・ストア（例えば、メモリ）コンポーネントが揮発性メモリ又は不揮発性メモリのいずれか、あるいは、揮発性及び不揮発性メモリの両方を含むことができる。限定ではなく一例として、不揮発性メモリは、読み出し専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）又はフラッシュ・メモリを含むことができる。揮発性メモリは、外部キャッシュ・メモリとして振舞う、ランダム・アクセス・メモリ（ＲＡＭ）を含むことができる。限定ではなく一例として、ＲＡＭは、同期ＲＡＭ（ＤＲＡＭ）、ダイナミックＲＡＭ（ＤＲＡＭ）、同期ＤＲＡＭ（ＳＤＲＡＭ）、ダブル・データ・レートＳＤＲＡＭ（ＤＤＲ  ＳＤＲＡＭ）、エンハンスドＳＤＲＡＭ（ＥＳＤＲＡＭ）、シンクリンクＤＲＡＭ（ＳＬＤＲＡＭ）およびダイレクト・ラムバスＲＡＭ（ＤＲＲＡＭ）のような多くの形式で利用可能である。開示された態様のメモリは、限定されないが、これら及び適切なタイプのメモリを含むように意図される。
【００３６】
プロセッサ３２６は、通信ネットワークの無線リンク不良情報の利用と関連する情報の解析を促進するために、通信装置３０２（及び／又はメモリ３１２）と効果的に接続されることができる。プロセッサ３２６は、通信装置によって受信された情報を解析し、及び／又は生成するために供されるプロセッサ、システム３００の１つ又は複数のコンポーネントを制御するプロセッサ、及び／又は通信装置３０２によって受信された情報を解析し、生成し、且つシステム３００の１つ又は複数のコンポーネントを制御する、プロセッサになることができる。
【００３７】
図４は、１つの態様に従い、中間無線アクセス技術の状況での無線リンク不良に基づいた隣接リスト・スキームを利用する通信システム４００を例示する。システム４００は、通信ネットワーク内で様々なノード（例えば、基地局、モバイル・デバイスなど）と通信することができる無線通信装置４０２を含む。無線通信装置４０２は、アクセス端末（例えば図１のアクセス端末１０４、図２のアクセス端末２１６及び２２２）又はそのようなものになり得る。
【００３８】
例示されるように、通信装置４０２は、第１のセル、又は第１のアクセス・ノード４０６（例えば、ノード１）との無線リンク４０４を確立する。第１のアクセス・ノード４０６は、第１の無線アクセス技術（例えば、ＬＴＥ）を利用することができる。不良検知器４０８は、リンク４０４をモニタし、無線リンク４０４上で「Ｘ」によって示さるような、不良を検知することができる。不良の検知後、タイマＴｖａｌｉｄ＿ｉｎｔｅｒ＿ｒｅｌａｔ４１０は、開始される。ここで、「ｖａｌｉｄ」は、有効期間を示し、「ｉｎｔｅｒ」は、無線間アクセス技術を示し、「ｒｅｌａｔ」は、関係を示す。タイマＴｖａｌｉｄ＿ｉｎｔｅｒ＿ｒｅｌａｔ４１０は、数秒で測定されることができる、限定された持続時間である有効期間を有する。タイマＴｖａｌｉｄ＿ｉｎｔｅｒ＿ｒｅｌａｔ４１０は、タイマＴｖａｌｉｄ＿ｉｎｔｅｒ＿ｒｅｌａｔ４１０の有効範囲内で隣接アクセス・ノードと再接続を可能にするだけの十分に長い持続時間を有するべきであるが、タイマＴｖａｌｉｄ＿ｉｎｔｅｒ＿ｒｅｌａｔ４１０の有効範囲内で非隣接アクセス・ノードと接続できるほど長い時間を有するべきでない。
【００３９】
アイデンティティのような、第１のアクセス・ノード４０６に関連する情報は、通信装置４０２（例えば、メモリ４１２）に関連する記憶媒体で保持することができる。（例えば、第１のアクセス・ノード４０６との）無線リンク不良になる前の最後のサービング・セルのアイデンティティは、無線リンク不良の前に保持されることができ、無線リンク不良のような、タイマＴｖａｌｉｄ＿ｉｎｔｅｒ＿ｒｅｌａｔ４１０が開始されるときと実質的に同時に保持されることができ、又は異なるときにほじされることができる。タイマＴｖａｌｉｄ＿ｉｎｔｅｒ＿ｒｅｌａｔ４１０の終了において、第１のアクセス・ノード４０６に関連する情報は、廃棄される。
【００４０】
通信装置４０２は、使用中止（ＯＯＳ）になっていると宣言することができ、その後、異なる無線アクセス技術／周波数のサービスエリアに再び入ることができる。通信装置４０２が異なるセル（例えばＷＣＤＭＡ）のサービスエリアに再び入る場合、中間アクセス・ノード４１６（例えばＮｏｄｅｉｎｔ）との無線リンク４１４は、確立されることができる。中間アクセス・ノード４１６は、第１のアクセス・ノード４０６で利用された無線アクセス技術と異なる無線アクセス技術を利用する。中間アクセス・ノード４１６との無線リンク４１４がタイマＴｖａｌｉｄ＿ｉｎｔｅｒ＿ｒｅｌａｔ４１０の有効期間（例えば数秒）以内に確立される場合、第２のタイマＴｍｉｓｓ＿ｒｅｌａｔ４１８は、開始される。ここで、「Ｔ」は、タイマを示し、「ｍｉｓｓ＿ｒｅｌａｔ」は、欠けている関係（例えば、異なる無線アクセス技術）を示す。タイマＴｍｉｓｓ＿ｒｅｌａｔ４１８は、時間（例えば、２時間、９時間、２４時間など）で測定される有効範囲を有することができる。実質的に同時にタイマＴｍｉｓｓ＿ｒｅｌａｔが開始するので、第１のアクセス・ノードと中間アクセス・ノード４１６との間の欠けている無線アクセス技術（ＲＡＴ）間隣接関係（例えば、欠けているＮｏｄｅ１→ＮｏｄｅｉｎｔのＲＡＴ間隣接関係）は、メモリ４１２のようなものに保持される。タイマＴｍｉｓｓ＿ｒｅｌａｔ４１８の終了において、この情報は、廃棄される。
【００４１】
通信装置４０２は、矢印４２０によって示されるように、移動し、第１のアクセス・ノード４０６と同じ無線アクセス技術（例えば、同じ公衆陸上移動通信ネットワーク（ＰＬＭＮ：public land mobile network））を利用する第２のアクセス・ノード４２４に４２２で示されるように接続する。第２のアクセス・ノード４２４との接続がタイマＴｍｉｓｓ＿ｒｅｌａｔ４１８の終了の前に確立される場合、伝達機４２６は、第２のアクセス・ノード４２４に欠けている第１のアクセス・ノード４０６と中間アクセス・ノード４１６の中間無線アクセス隣接関係を報告する。
【００４２】
第２のアクセス・ノード４２４は、４２８を備える通信リンクを確立し、ネットワーク・エンティティ４３０に欠けている第１のアクセス・ノード４０６と中間アクセス・ノード４１６の中間無線アクセス隣接関係（例えば、欠けているＮｏｄｅ１→ＮｏｄｅｉｎｔのＲＡＴ間隣接関係）を報告することができる。ネットワーク・エンティティ４３０は、（４３２で例示された）第１のアクセス・ノード４０６の隣接リスト及び／又は（４３４で例示された）中間アクセス・ノード４１６の隣接リストを選択的にアップデートすることができる。
【００４３】
欠けている隣接関係は、無線リンク不良として実質的に同じ時刻でモバイル・デバイスに集められるべきであるが、（図３に関して説明された）再確立手続きの間、又は（図４に関して説明された）接続セットアップにおいて、ネットワークにこの情報を報告する必要がない。それは、重大な状況のときに生じることができ、限られたサイズのメッセージに基づくことができる。したがって、いくつかの態様に従って、無線条件がそのような報告に対して許可する場合、報告は、モバイル・デバイスによって遅延され、実行されることができる。
【００４４】
図５は、無線リンク不良に基づくアクセス・ノード隣接リストを自己構成するためのシステム５００を例証する。システム５００に含まれる通信装置５０２は、様々なノード（例えば、モバイル・デバイス、基地局、オペレーションおよびネットワーク・エンティティ、など）にデータを送信するように構成されることができる。通信装置５０２は、図１のアクセス・ノード１０２、図２のアクセス・ノード２０２などのようなアクセス・ノードになることができる。
【００４５】
通信装置５０２に含まれる受信機５０４は、無線リンク５０８が確立されているエンド・ノード５０６（例えば、モバイル・デバイス）から欠けている隣接リスト情報を受信するように構成される。例えば、欠けている隣接リスト情報は、第１のアクセス・ノード５１０（例えば、Ｎｏｄｅ１）と通信装置５０２（例えばＮｏｄｅ２）との間の欠けている関係であることができる。いくつかの態様に従って、欠けている隣接リストは、第１のアクセス・ノード５１０と中間アクセス・ノード５１２（例えば、Ｎｏｄｅｉｎｔ）との間の欠けている関係であることができる。
【００４６】
通知を受信するのと実質的に同時（又は異なる時刻）に、報告メカニズム５１４は、通信リンク５１８を通じてオペレーション及びネットワーク・エンティティ（Ｏ＆Ｍ）５１６に（エンド・ノード５０６によって報告されるように）欠けている隣接関係を通信する。例えば、報告メカニズム５１４は、欠けているＮｏｄｅ１→Ｎｏｄｅ２の隣接関係をＯ＆Ｍ５１６に通知することができる。この情報に基づいて、Ｏ＆Ｍ５１６は、５２０で、欠けているＮｏｄｅ１→Ｎｏｄｅ２の隣接関係を備えた第１のアクセス・ノード５１０の隣接リスト５２２をアップデートすることができる。これに加えて、Ｏ＆Ｍ５１６は、通信リンク５２４を通じて、欠けているＮｏｄｅ２→Ｎｏｄｅ１の隣接関係を備えた通信装置５０２の隣接リスト５２６をアップデートすることができる。いくつかの態様に従って、Ｏ＆Ｍ５１６は、第１のアクセス・ノード５１０の欠けているＮｏｄｅ１→Ｎｏｄｅ２の隣接関係がある場合、通信装置５０２内の欠けているＮｏｄｅ２→Ｎｏｄｅ１の最もありそうな隣接関係があるので、欠けている関係について通信装置５０２に通知することができる。
【００４７】
いくつかの態様に従って、Ｏ＆Ｍ５１６に報告された情報は、中間ノード５１２（Ｎｏｄｅｉｎｔ）に対する欠けている第１のアクセス・ノード５１０（Ｎｏｄｅ１）の無線間アクセス技術隣接関係であることができる。Ｏ＆Ｍ５１６は、５２０で、欠けているＮｏｄｅ１→ＮｏｄｅｉｎｔのＲＡＴ間隣接関係を備えた第１のアクセス・ノード５１０の隣接リスト５２２をアップデートする。いくつかの態様に従って、Ｏ＆Ｍ５１６は、５２８で、対象性の理由でＮｏｄｅｉｎｔ→Ｎｏｄｅ１のＲＡＴ間隣接関係を備えた中間アクセス・ノード５１２の隣接リスト５３０をアップデートすることができる。
【００４８】
したがって、システム５００は、適切なアクセス・ノードの隣接リスト５２２、５２６、又は５３０を動的に且つ自動的にアップデートすることができる。自動、または自己構成しているアップデートは、隣接リストを占める手動技術を利用する、及び／又は扱い難いプランニング・ツールを利用する従来のシステムにまさる利点である。
【００４９】
以上で説明され、示された例示的なシステムを考慮して、開示された主題の事柄に従って実施され得る方法は、以下のフローチャートを参照してより良く正しく認識されることになる。説明の単純化の目的のために、方法は、一連のブロックとして示され説明される一方、それは、権利を主張した主題が、いくつかのブロックについて、ここで描写され、説明されたものと異なる順序で及び／又は他のブロックと実質的に同じときに生じることができるので、ブロックの数又は順序によって限定されない。さらに、例示された全てのブロックがここに説明された方法を実施するために要求されないことができる。ブロックと関連する機能性がソフトウェア、ハードウェア、これらの組み合わせ、又は適切な手段（例えば、デバイス、システム、プロセス、コンポーネント）によって実施されることができるように正しく認識されるべきである。さらに、以下に開示され、本願明細書全体で開示される方法は、様々なデバイスにこのような方法で運び、転送することを促進する製造物品上に格納されることができることを更に正しく認識されるべきである。例えば、当業者は、方法が代替となるべきものとして、状態図のような一連の相互関係状態またはイベントとして表わされることを理解し、正しく認識することになる。
【００５０】
図６は、１つの態様に従う、同様の無線アクセス技術を利用する隣接セルのための無線リンク不良に基づく隣接リストを利用する方法６００を例証する。方法６００は、無線リンク不良があり、モバイル・デバイスがネットワークの新しいセルとの接続をすばやく再確立する（例えば、両方のセルが同じ無線・アクセス技術を利用する）ことができる状況に関連する。すばやく接続を再確立するための能力は、（無線リンク不良が起こっている）古いサービング・セルと（モバイル・デバイスが接続をすばやく再確立することができた）新しいセルとの間の欠けている隣接関係があることをすばやく示すことができる。
【００５１】
第１のセル（例えば、アクセス・ノード、基地局など）との無線リンク不良が検知される場合、方法６００は、６０２において、開始する。第１のセルによってサーブされている間、第１のセルの識別は、既知であった一方で、６０４において、無線リンク不良により、第１のセル（例えば、最後のサービング・セル）の識別は、格納される。６０６において、タイマは、開始される。タイマの持続時間は、設定されることができ、短い長さ（例えば、数秒）であるべきである。６０６において、開始されたタイマは、Ｔｖａｌｉｄ＿ｉｎｆｒａ＿ｒｅｌａｔとして参照されることができる。ここで、セルが同じネットワークにあり、同じ無線アクセス技術を利用しているので、タイマ（Ｔ）は、共通の関係（「ｒｅｌａｔ」）を有する（ｉｎｆｒａ）セル間の関係に対して有効である。
【００５２】
６０８において、第２のセルとの接続が確立され、６１０において、接続がタイマ（Ｔｖａｌｉｄ＿ｉｎｆｒａ＿ｒｅｌａｔ）の終了の前に再確立されたかどうかの決定がなされる。接続がタイマの終了の前に再確立されなかった場合（「はい」）、６１２において、第１のセルのアイデンティティは、廃棄される。いくつかの態様に従って、接続が再確立されていない場合でも、タイマＴｖａｌｉｄ＿ｉｎｆｒａ＿ｒｅｌａｔがタイム・アウトするときに、第１のセルのアイデンティティは、破棄されることができる。
【００５３】
接続がタイマの終了の前に再確立された場合（「いいえ」）、６１４において、第２のセルに欠けている隣接関係を通知する。この情報を受信した後、第２のセルは、欠けている隣接関係のネットワーク・エンティティに通知することができる。ネットワーク・エンティティは、第１のセルと第２のセルがそれぞれ隣接リストをアップデートするために、第１のセル及び／又は第２のセルに欠けている隣接関係を選択的に通知することができる。
【００５４】
図７は、１つの態様に従う、無線間アクセス技術状況で無線リンクの不良に基づいた隣接リスト・スキームを利用する方法７００を例示する。方法７００は、無線リンク不良があり、モバイル・デバイスが、無線リンク不良があったセルと異なる無線アクセス技術を利用する新しいセルとの接続を再確立することができる状況に関連する。この次ネットワークへの接続がある時、モバイル・デバイスは、ネットワークとの欠けている隣接関係を報告する。例えば、モバイル・デバイスが当初のセル（例えば無線リンク不良があったセル）と同じ無線アクセス技術を利用するセルに入る場合、この欠けている隣接関係を報告することができる。
【００５５】
無線リンク不良が検知される場合、方法７００は、７０２から開始する。無線リンク不良は、（Ｎｏｄｅ１として参照される）第１のセルによってサーブされている場合に生じる。いくつかの態様に従って、第１のセルは、ＬＴＥセルである。７０４において、第１のセル（例えば、無線リンク不良の以前の最後のサービング・セル）のアイデンティティは、保持される。７０６において、Ｔｖａｌｉｄ＿ｉｎｔｅｒ＿ｒｅｌａｔとして参照されるタイマが開始される。ここで、「Ｔ」は、タイマを示し、「ｖａｌｉｄ」は、有効期間を示し、「ｉｎｔｅｒ」は、無線間アクセス技術を示し、「ｒｅｌａｔ」は、関係を示す。タイマＴｖａｌｉｄ＿ｉｎｔｅｒ＿ｒｅｌａｔは、数秒の長さである、有効範囲を有する。
【００５６】
７０８において、使用停止条件を宣言することができ、サービスエリアが入力される。入力されたサービスエリアをサーブするアクセス・ノードは、「中間アクセス・ノード」又はＮｏｄｅｉｎｔとしてここに参照される。入力されたサービスエリアは、第１のセルによって利用された技術と異なる技術を利用することができる。例えば、入力されたサービスエリアで利用される無線アクセス技術は、ＷＣＤＭＡセルになることができる。
【００５７】
７１０において、第１のタイマＴｖａｌｉｄ＿ｉｎｔｅｒ＿ｒｅｌａｔが終了（例えば、タイムアウト）したかどうかの決定が行なわれる。新しいサービスエリアが入力される前に第１のタイマＴｖａｌｉｄ＿ｉｎｔｅｒ＿ｒｅｌａｔが終了した（「はい」）場合、第１のセルのアイデンティティは、廃棄される。新しいサービスエリアがタイム・アウト前に入力された（「いいえ」）場合、７１４において、第２のタイマ（Ｔｍｉｓｓ＿ｒｅｌａｔ）がスタートする。ここで、「Ｔ」は、タイマを示し、「ｍｉｓｓ＿ｒｅｌａｔ」は、欠けている関係（例えば、異なる無線・アクセス技術）を示す。７１６において、欠けているＮｏｄｅｉｎｔに対するＮｏｄｅ１のＲＡＴ間隣接関係は、格納される。
【００５８】
７１８において、接続は、第１のセル（Ｎｏｄｅ１）と同じ無線アクセス技術を利用する、第２のセル（例えばＮｏｄｅ２）になされる。７２０において、第２のタイマが終了したかの決定がなされる。タイマが終了した（「はい」）場合、７２２において、ＲＡＴ間隣接関係が廃棄される。タイマが終了していない（「いいえ」）場合、ミスしているＮｏｄｅｉｎｔに対するＮｏｄｅ１のＲＡＴ間隣接関係は、第２のセルに報告される。第２のセルは、第１のセル及び中間セルの隣接リストを選択的にアップデートするネットワーク・エンティティにこの情報を報告することができる。
【００５９】
いくつかの態様に従って、第１のセルのアイデンティティは、タイマＴｖａｌｉｄ＿ｉｎｔｅｒ＿ｒｅｌａｔがタイム・アウトする場合に破棄されるし、接続が再確立される前に生じた場合でさえも破棄される。追加の或いは代案として、欠けているＮｏｄｅｉｎｔに対するＮｏｄｅ１のＲＡＴ間隣接関係が破棄され、タイム・アウトが第１のセルと同じ無線アクセス技術を利用する第２のセルとの際接続が再確立される前に起きた場合でも欠けているＮｏｄｅｉｎｔに対するＮｏｄｅ１のＲＡＴ間隣接関係が破棄される。
【００６０】
図８は、ここに開示される態様に従って欠けている隣接関係を報告するための方法８００を例示する。欠けている隣接関係が同じ無線アクセス技を利用するセル間である場合、及び／又は欠けている隣接関係が異なる無線アクセス技術を利用するセル間（例えば、ＲＡＴ間）である場合、方法８００を利用することができる。方法８００は、アクセス・ノード隣接リスト内に位置された欠けている隣接関係が自己構成及びダイナミックな方法でアップデートされることを可能にすることができる。
【００６１】
８０２において、モバイル・デバイスとの接続が確立される場合、方法８００は、開始する。８０４において、欠けている隣接関係情報は、モバイル・デバイスから受信される。この欠けている隣接関係情報は、第１のセル（例えば、Ｎｏｄｅ１）と、８０２において、モバイル・デバイスが接続しているセル（例えば、Ｎｏｄｅ２）との間の欠けている関係となることができる。いくつかの態様に従って、欠けている隣接関係情報は、第１の無線アクセス技術を利用する第１のセル（例えば、Ｎｏｄｅ１）と、第２の無線アクセス技術を利用する中間セル（例えば、Ｎｏｄｅｉｎｔ）との間の欠けている関係となることができる。
【００６２】
８０６において、欠けている隣接関係は、ネットワーク・エンティティに報告される。欠けている隣接関係が同じ無線アクセス技術を利用するセル間にある場合における態様に従って、ネットワーク・エンティティは、欠けているＮｏｄｅ１→Ｎｏｄｅ２の隣接関係を通知される。ネットワーク・エンティティは、欠けているＮｏｄｅ１→Ｎｏｄｅ２の隣接関係を備えたＮｏｄｅ１の隣接リストをアップデートすることができる。更に、いくつかの態様に従って、ネットワーク・エンティティは、対称的な目的のために欠けているＮｏｄｅ２→Ｎｏｄｅ１の隣接関係を備えたＮｏｄｅ２の隣接リストをアップデートすることができる。Ｎｏｄｅ１に関連する欠けているＮｏｄｅ１→Ｎｏｄｅ２の隣接関係がある場合、それは、Ｎｏｄｅ２に関連する欠けているＮｏｄｅ２→Ｎｏｄｅ１の隣接関係があることを示すことができる。
【００６３】
欠けている隣接関係が異なる無線アクセス技術を利用するセル間にある場合の態様に従って、ネットワーク・エンティティは、欠けているＮｏｄｅ１→ＮｏｄｅｉｎｔのＲＡＴ間隣接関係が通知される。ネットワーク・エンティティは、欠けているＮｏｄｅ１→Ｎｏｄｅｉｎｔ  のＲＡＴ間隣接関係を備えたＮｏｄｅ１の隣接リストを更新することができる。更に、いくつかの態様に従って、ネットワーク・エンティティは、対称的な目的のために欠けているＮｏｄｅｉｎｔ→Ｎｏｄｅ１  のＲＡＴ間隣接関係を備えたＮｏｄｅｉｎｔの隣接リストをアップデートすることができる。
【００６４】
今、図９を参照して、開示された態様の１つ以上に従って無線通信ネットワークの欠けている隣接関係の自己構成を促進する、システム９００が例示される。システム９００は、ユーザ・デバイスに存在することができる。システム９００は、例えば、受信アンテナから信号を受信することができる受信機９０２を含む。受信機９０２は、その上で、受信信号をフィルタリングし、増幅し、ダウンコンバート、などのような典型的な動作を実行することができる。更に、受信機９０２は、サンプルを得るための条件つきの信号をデジタル化することができる。復調器９０４は、各シンボル期間の間に受信されたシンボルを得ることに加えて、プロセッサ９０６に受信されたシンボルを供給することができる。
【００６５】
プロセッサ９０６は、受信機コンポーネント９０２によって受信された情報を解析する、及び／又は送信機９０８によって送信するための情報を生成するために供されるプロセッサであることができる。それに加え、或いは代案として、プロセッサ９０６は、ユーザ・デバイス９００の１つ又は複数のコンポーネントを制御し、受信機９０２によって受信された情報を分析し、発信機９０８によって送信するための情報を生成し、及び／又はユーザ・デバイス９００の１つ又は複数のコンポーネントを制御することができる。プロセッサ９０６は、追加のユーザ・デバイスとの通信を調整することができるコントローラ・コンポーネントを含むことができる。
【００６６】
ユーザ・デバイス９００は、プロセッサ９０６と適切に結合されるメモリ９０８をさらに備えることができる。また、メモリ９１０は、通信の調整と関連する情報及び他の適切な情報を格納することができる。メモリ９１０は、自己構成する隣接リストに関連するプロトコルをさらに格納することができる。ユーザ・デバイス９００は、シンボル変調器９１２、及び変調された信号を送信する送信機９０８を更に備えることができる。
【００６７】
受信機９０２は、無線リンク不良の後に無線リンクを再確立するために取られる時間に関連する間隔を追跡するように構成されるタイマ９１４と更に適切に結合される。タイマ９１４は、無線リンク不良が同じ無線アクセス技術を利用するアクセス・ノード間であるか、あるいは異なる無線アクセス技術を利用するアクセス・ノード間であるかに依存して異なる時間間隔を追跡することができる。欠けているＮｏｄｅ１→Ｎｏｄｅ２の隣接関係、及び／又は欠けているＮｏｄｅ１とＮｏｄｅｉｎｔのＲＡＴ間隣接関係に関連する情報は、メモリ９１０に保持されることができる。タイマの条件に基づいて、Ｎｏｄｅ１→Ｎｏｄｅ２の隣接関係、及び／又は欠けているＮｏｄｅ１とＮｏｄｅｉｎｔのＲＡＴ間隣接関係は、送信機９０８によってアクセス・ノードに伝達することができる。
【００６８】
図１０は、ここに示されている様々態様に従う無線リンク不良に基づく隣接リストのアップデートを促進するシステム１００を例証する。システム１０００は、基地局又はアクセス・ポイント１００２を備える。例証されるように、基地局１００２は、受信アンテナ１００６によって１つ又は複数の通信デバイス１００４（例えば、ユーザ・デバイス）から信号を受信し、送信アンテナ１００８を通じて１つ又は複数の通信デバイス１００４に送信する。
【００６９】
基地局１００２は、受信アンテナ１００６から情報を受信し、受信した情報を復調する復調器１０１２と適切に関連する受信機１０１０を含む。復調されたシンボルは、欠けている隣接関係を有する隣接セルの隣接リストを動的にアップデートすることに関連する情報を格納するメモリ１０１６に接続される、プロセッサ１０１４によって解析される。変調器１０１８は、通信デバイス１００４に送信アンテナ１００８を通じて送信機１０２０によって送信のための信号を多重化することができる。
【００７０】
受信機１０１０は、欠けているＮｏｄｅ１→Ｎｏｄｅ２の隣接関係、及び／又は欠けているＮｏｄｅ１とＮｏｄｅｉｎｔのＲＡＴ間隣接関係を示すユーザ・デバイスからの情報を得ることができる。送信機１０２０は、ネットワーク・エンティティにこの情報を伝送することができる。ネットワーク・エンティティは、欠けている隣接関係情報の関数として基地局１００２の隣接リスト１０２２を選択的にアップデートすることができる。
【００７１】
図１１は、様々な態様に従う、例示的な無線通信システム１１００を例証する。無線通信システム１１００は、簡潔さの目的のために１つの基地局及び１つの端末を描写する。しかしながら、１つの基地局又はアクセス・ポイントより多くの基地局又はアクセス・ポイント、及び／又１つの端末又はユーザ・デバイスより多くの端末又はユーザ・デバイスを含むことができる。ここで、追加の基地局及び／又は端末は、以下で説明される例示的な基地局及び端末と実質的に同じ或いは異なるようにすることができる。さらに、基地局及び／又は端末がそれらの間の無線通信を促進するためにここに開示されたシステム及び／又は方法を使用することができる。
【００７２】
今、図１１を参照し、ダウンリンク上でのアクセス・ポイン１１０５において、送信（ＴＸ）データ・プロセッサ１１１０は、トラフィック・データを受信し、フォーマット化し、コード化し、インターリーブし、変調（またはシンボル・マップ）し、変調シンボル（「データ・シンボル」）を供給する。シンボル変調器１１１５は、データ・シンボルとパイロット・シンボルを受信し、処理し、シンボルのストリームを供給する。シンボル変調器１１１５は、データとパイロット・シンボルを多重化し、Ｎ個の送信シンボルのセットを得る。各送信シンボルは、データ・シンボル、パイロット・シンボル、又はゼロの信号値であることができる。パイロット・シンボルは、各シンボル期間に連続的に送られることができる。パイロット・シンボルは、周波数分割多重（ＦＤＭ）、直交周波数分割多重（ＯＦＤＭ）、時分割多重（ＴＤＭ）、周波数分割多重（ＦＤＭ）又は符号分割多重（ＣＤＭ）であることができる。
【００７３】
送信機ユニット（ＴＭＴＲ）１１２０は、シンボルのストリームを受信し、それを１つ又は複数のアナログ信号に変換し、アナログ信号を無線チャネルにわたって送信するために適したダウンリンク信号を生成するために更なる状態にする（増幅し、フィルタにかけ、周波数をアップコンバートする）。その後、ダウンリンク信号は、アンテナ１１２５を通じて端末に送信される。端末１１３０において、アンテナ１１３５は、ダウンリンク信号を受信し、受信された信号を受信機ユニット（ＲＣＶＲ）１１４０に供給する。受信機ユニット１１４０は、受信された信号をある状態にし（例えば、フィルタにかけ、増幅し、周波数をダウンコンバートし）、サンプルを得るためにある状態にされた信号をデジタル化する。シンボル復調器１１４５は、Ｎ個の受信シンボルを得て、チャネル推定値のためにプロセッサ１１５０に受信パイロット・シンボルを供給する。シンボル復調器１１４５は、プロセッサ１１５０からダウンリンクのための周波数応答推定値をさらに受信し、（送信されたデータ・シンボルの推定値である）データ・シンボル推定値を得るために、受信されたデータ・シンボルでデータ復調を実行し、ＲＸデータ・プロセッサ１１５５に、送信トラフィック・データを復元するために、データ・シンボル推定値を復調（つまりシンボルをデマップ）し、デインターリーブし、デコードする、データ・シンボル推定値を供給する。シンボル復調器１１４５及びＲＸデータ。プロセッサ１１５５による処理は、アクセス・ポイント１１０５でシンボル変調器１１１５及びＴＸデータ・プロセッサ１１１０それぞれによって処理することに対して相補的なものである。
【００７４】
アップリンク上で、ＴＸデータ・プロセッサ１１６０は、トラフィック・データを処理し、データ・シンボルを供給する。シンボル変調器１１６５は、パイロット・シンボルを備えたデータ・シンボルを受信し、多重化し、変調を実行し、シンボルのストリームを供給する。その後、送信機ユニット１１７０は、アップリンク信号を生成するために、シンボルのストリームを受信し、処理する。そして、アップリンク信号は、アクセス・ポイント１１０５にアンテナ１１３５によって送信される。
【００７５】
アクセス・ポイント１１０５において、端末１１３０からのアップリンク信号は、アンテナ１１２５によって受信され、サンプルを得るために受信機ユニット１１７５によって処理される。その後、シンボル復調器１１８０は、サンプルを処理し、アップリンクのために受信パイロット・シンボル及びデータ・シンボル推定値を供給する。ＲＸデータ・プロセッサ１１８５は、端末１１３０によって送信されたトラフィック・データを復元するために、データ・シンボル推定値を処理する。プロセッサ１１９０は、アップリンク上で送信する各アクティブ端末のためのチャネル推定を実行する。
【００７６】
プロセッサ１１９０及び１１５０は、それぞれアクセス・ポイント１１０５及び端末１１３０で（例えば、制御、調和、管理、．．．のような）演算を指示する。それぞれのプロセッサ１１９０及び１１５０は、プログラム・コードおよびデータを格納するメモリ・ユニット（図示していない）と関連することができる。更に、プロセッサ１１９０及び１１５０は、アップリンク及びダウンリンクそれぞれのための周波数とインパルス応答の推定値を導くために計算を実行することができる。
【００７７】
複数のアクセス・システム（例えば、ＦＤＭＡ、ＯＦＤＭＡ、ＣＤＭＡ、ＴＤＭＡ、など）について、複数の端末は、アップリンク上で同時に送信することができる。そのようなシステムについて、パイロット・サブバンドは、異なる端末の間で共有されることができる。チャネル推定技術は、各端末のためのパイロット・サブバンドが全動作帯域（あるいは帯域の端を除く帯域）にわたる場合に使用されることができる。そのようなパイロット・サブバンド構造は、各端末に対して周波数ダイバーシチを得るために望ましいだろう。ここで説明された技術は、様々な手段によって実施されることができる。例えば、これらの技術は、ハードウェア、ソフトウェア又はこれらの組み合わせで実施されることができる。ハードウェアの実施において、チャネル推定のために使用される処理は、１つ又は複数の専用集積回路（ＡＳＩＣ）、デジタル信号処理機（ＤＳＰ）、デジタル信号処理デバイス（ＤＳＰＤ）、プログラム可能な論理デバイス（ＰＬＤ）、フィールド・プログラマブル・ゲート・アレイ（ＦＰＧＡ）、プロセッサ、コントローラ、マイクロ−コントローラ、マイクロプロセッサ、ここで説明された機能を実行するために設計された他の電子ユニット、又はこれらの組み合わせで実施されることができる。ソフトウェアを備える、実施は、（例えば、手順、機能、など）ここで説明された機能を実行するモジュールを通じてすることができる。ソフトウェア・コードは、メモリ・ユニットに格納され、プロセッサ１１９０及び１１５０によって実行されることができる。
【００７８】
態様に従って無線リンク不良に基づいてアクセス・ノード上で隣接リストのアップデートを促進するシステム１２００の例を示している、図１２を参照する。システム１２００は、モバイル・デバイス内に少なくとも部分的に存在することができる。プロセッサ、ソフトウェア、又はそれらの組み合わせ（例えば、ファームウェア）によって実施される機能を表す機能ブロックであることができる、機能ブロックを含むことで表されるシステム１２００を正しく認識するべきである。
【００７９】
システム１２００は、分離して或いは結合して作動することができる電気部品の論理グループを含む。論理グループ１２０２は、第１のアクセス・ノードを備える無線リンク不良を検知するための電気部品１２０４を含む。無線リンク不良は、欠けている隣接関係を示す。
【００８０】
更に、論理グループ１２０２に含まれるものは、タイマを活性化するための電気部品１２０６、タイマの終了前に第２のアクセス・ノードで第２のリンクを確立するための電気部品１２０８である。さらに、論理グループ１２０２は、第２のアクセス・ノードに欠けている隣接関係を通知するための電気部品１２１０を含む。
【００８１】
いくつかの態様に従って、タイマは、Ｔｖａｌｉｄ＿ｉｎｆｒａ＿ｒｅｌａｔタイマであり、欠けている隣接関係は、第１のアクセス・ノードと第２のアクセス・ノードとの間にある。この態様において、第１のアクセス・ノード及び第２のアクセス・ノードは、同様の無線リンク技術を利用する。
【００８２】
いくつかの態様によれば、タイマは、Ｔｍｉｓｓ＿ｒｅｌａｔタイマであり、論理グループ１２０２は、無線リンク不良の検出の後にＴｖａｌｉｄ＿ｉｎｔｅｒ＿ｒｅｌａｔタイマを開始するための電気部品を含む。更に、論理グループ１２０２は、Ｔｖａｌｉｄ＿ｉｎｔｅｒ＿ｒｅｌａｔタイマの終了の前に中間アクセス・ノードを備えた通信リンクを確立するための電気部品を含むことができる。第１のアクセス・ノード及び中間アクセス・ノードは、異なる無線リンク技術を利用する。さらに、論理グループ１２０２は、Ｔｍｉｓｓ＿ｒｅｌａｔタイマを開始するための電気部品を含む。ここで、欠けている隣接関係は、同様の無線リンク技術を利用する第１のアクセス・ノードと中間アクセス・ノードとの間及び第１のアクセス・ノードと第２のアクセス・ノードとの間である。
【００８３】
追加或いは代替として、論理グループ１２０２は、Ｔｖａｌｉｄ＿ｉｎｔｅｒ＿ｒｅｌａｔタイマの終了を検知するための電気部品、及び無線リンク不良と関連した情報を廃棄するための電気部品を含むことができる。態様によって、論理グループ１２０２は、Ｔｍｉｓｓ＿ｒｅｌａｔタイマの終了を検知するための電気部品及び無線リンク不良と関連した情報を廃棄するための電気部品を含むことができる。
【００８４】
追加或いは代替として、論理グループ１２０２は、タイマの終了を検知するための電気部品及び無線リンク不良と関連した情報を廃棄するための電気部品を含むことができる。態様において、論理グループ１２０２は、無線リンク不良の検出前の第１のアクセス・ノードの識別を格納するための電気部品を含むことができる。
【００８５】
システム１２００は、電気部品１２０４、１２０６、１２０８及び１２１０、又は、他のコンポーネントに関連した機能を実行するための命令を保持するメモリ１２１２を含むことができる。メモリ１２１２に対して外部にあるとして示されているが、電気部品１２０４、１２０６、１２０８及び１２１０の１つ以上が、メモリ１２１２内に存在できることを理解されるべきである。
【００８６】
図１３は、１つの態様に従う、アクセス・ノード隣接リストに対するアップデートを促進する例のシステム１３００を示す。システム１３００は、基地局内に少なくとも部分的に存在することができる。システム１３００は、機能ブロックを含むように表されている。機能ブロックは、表される機能がプロセッサ、ソフトウェア、又はそれらの組み合わせによって実施される機能ブロックであることができる。
【００８７】
システム１３００は、別々に或いは結合して作動することができる電気部品の論理グループ１３０２を含む。論理的グループ１３０２に含まれるものは、エンド・ノードとの無線リンクを確立するための電気部品１３０４である。さら論理グループ１３０２に含まれるものは、エンド・ノードと第１のアクセス・ノードとの間の無線リンク不良の関数である欠けている隣接関係情報をエンド・ノードから受信するための電気部品１３０６である。さらに、論理グループ１３０２は、ネットワーク・エンティティに無線リンク不良情報を報告するための電気部品１３０８を含む。
【００８８】
いくつかの態様に従って、論理グループ１３０２は、ネットワーク・エンティティから隣接リストに対するアップデートを受信するための電気部品を含むことができる。欠けている隣接関係は、第１のアクセス・ノードと、エンド・ノードと無線リンクを確立していたアクセス・ノードとの間にある。追加或いは代替として、受信された欠けている隣接関係は、異なる無線アクセス技術を利用する中間アクセス・ノードと第１のアクセス・ノードとの間にある。
【００８９】
更に、システム１３００は、電気部品１３０４、１３０６及び１３０８、又は、他の部品に関連する機能を実行するための命令を保持するメモリ１３１０を含む。メモリ１３１０に対して外部にあるとして示されているが、電気部品１３０４、１３０６、１３０８及び１３０８の１つ以上が、メモリ１３１０内に存在できることが理解されるべきである。
【００９０】
ハードウェア、ソフトウェア、ファームウェア、又はそれらの任意の組み合わせによってここで説明された態様が実施されることを理解するべきである。ソフトウェア内で実施される場合、機能は、コンピュータ可読媒体上で１つ又は複数の命令又はコードを格納される、又は１つ又は複数の命令又はコードとして全体に送信されることができる。コンピュータ可読媒体は、ある場所から別の場所にコンピュータ・プログラムの転送を促進する任意の媒体を含む、通信媒体及びコンピュータ記憶媒体の両方を含む。記憶媒体は、汎用又は専用コンピュータによってアクセスすることができる任意の利用可能な媒体であることができる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置或いは他の磁気記憶装置、又はデータ構造の命令の形式で要求されるプログラム・コード手段を運ぶ又は格納するために利用でき、汎用又は専用コンピュータ又は汎用又は専用プロセッサによってアクセスできる任意の他の媒体を備えることができる。さらに、任意の接続は、コンピュータ可読媒体を適切に名付けられる。例えば、ソフトウェアが同軸ケーブル、光ファイバー・ケーブル、ツイストテッド・ペア、デジタル加入者線（ＤＳＬ）或いは赤外線、無線及びマイクロ波のような無線技術を使用したウェブサイト、サーバ或いは他の同軸ケーブルから送信される場合、同軸ケーブル、光ファイバー・ケーブル、ツイステッド・ペア、ＤＳＬ或いは赤外線、無線及びマイクロ波のような無線技術は、媒体の定義に含まれる。ここで使用されるようなディスク（ｄｉｓｋ）及び（ｄｉｓｃ）は、コンパクト・ディスク（ＣＤ）、レーザー・ディスク、光学ディスク、デジタル多目的ディスク（ＤＶＤ）、フロッピー（登録商標）・ディスク及びｂｌｕ−ｒａｙディスクを含む。ここで、ディスク（ｄｉｓｋ）は、通常磁気的にデータを再生し、一方、ディスク（ｄｉｓｃ）は、レーザーで工学的にデータを再生する。更に、上記の組み合わせは、コンピュータ可読媒体の範囲内に含まれる。
【００９１】
ここで説明された態様に関連して開示された様々な実例の論理ブロック、モジュール、及び回路は、汎用プロセッサ、デジタル信号プロセッサ（ＤＳＰ）、特定用途の集積回路（ＡＳＩＣ）、フィールド・プログラマブル・ゲート・アレイ（ＦＰＧＡ）又は他のプログラム可能な論理デバイス、ディスクリート・ゲート又はトランジスタ・ロジック、分離したハードウェア・コンポーネント、ここで説明された機能を実施するため設計されたこれらの任意の組み合わせで実施され又は実行され得る。汎用プロセッサは、マイクロプロセッサでもよいが代案において、プロセッサは、任意の従来のプロセッサ、コントローラ、マイクロコントローラ或いはステート・マシーンでもよい。更に、プロセッサは、コンピューティング・デバイスの組み合わせ、例えば、ＤＳＰとマイクロプロセッサ、複数のマイクロプロセッサ、ＤＳＰコアで結合する１つ又は複数のコンビネーション或いは任意の他のこのような結合としても実施される。さらに、少なくとも１つのプロセッサは、１つ又は複数のステップ及び／又は以上で説明された動作を実行するために実施可能な１つ又は複数のモジュールを備えることができる。
【００９２】
ソフトウェア実装について、ここで説明された技術は、ここで説明された機能を実行するモジュール（例えば、手順、機能など）で実施されることができる。ソフトウェア・コードは、メモリ・ユニットに格納され、プロセッサによって実行されることができる。メモリ・ユニットは、プロセッサ内又はプロセッサ外部で実行される。その場合には、当該技術において既知である様々な手段を通じてプロセッサと通信的に接続されることができる。さらに、少なくとも１つのプロセッサは、ここで説明された機能を実行するために操作可能な１つ又は複数のモジュールを含むことができる。
【００９３】
ここで説明された技術は、ＣＤＭＡ、ＴＤＭＡ、ＦＤＭＡ、ＯＦＤＭＡ、ＳＣ−ＦＤＭＡおよび他のシステムのような様々な無線通信システムのために使用されることができる。用語「システム」と「ネットワーク」は、しばしば交換可能に使用される。ＣＤＭＡシステムは、ユニバーサル・テレストリアル・ラジオ・アクセス（ＵＴＲＡ）、ｃｄｍａ２０００、などのような無線技術を実施し得る。ＵＴＲＡは、ワイドバンドＣＤＭＡ（ＷＣＤＭＡ）及びＣＤＭＡの他の変形を含み得る。更に、ｃｄｍａ２０００は、ＩＳ−２０００、ＩＳ−９５及びＩＳ−８５６標準をカバーする。ＴＤＭＡシステムは、グローバル移動体通信システム（ＧＳＭ）のような無線技術を実施し得る。ＯＦＤＭＡシステムは、拡張ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（登録商標）などのような無線技術を実施する。ＵＴＲＡ及びＥ−ＵＴＲＡは、ユニバーサル・モバイル・テレコミュニケーション・システム（ＵＭＴＳ）の一部である。３ＧＰＰ・ロング・ターム・エボリューション（ＬＴＥ：Long Term Evolution）は、ダウンリンクでＯＦＤＭＡを採用し、アップリンクでＳＣ−ＦＤＭＡを採用したＥ−ＵＴＲＡを使用するＵＭＴＳのリリースである。ＵＴＲＡ、Ｅ−ＵＴＲＡ、ＵＭＴＳ、ＬＴＥ及びＧＳＭは、「第３世代パートナーシップ・プロジェクト」（３ＧＰＰ：3rd Generation Partnership Project）と名づけられた組織からの文書において説明される。更に、ｃｄｍａ２０００及びＵＭＢは、「第３世代パートナーシップ・プロジェクト２」（３ＧＰＰ２）と名づけられた組織からの文書において説明される。さらに、そのような無線通信システムは、対になっていない無免許のスペクトル、８０２．ｘｘ無線ＬＡＮ、ＢＬＵＥＴＯＯＴＨ（登録商標）及び任意の短距離又は長距離、無線通信技術をしばしば使用する、追加のピア・ツー・ピア（例えば、モバイル・ツー・モバイル）アド・ホック・ネットワーク・システムであることができる。
【００９４】
更に、ここで説明した様々な態様又は特徴は、方法、装置、又はスタンダード・プログラミング及び／又はエンジニアリング技法を使用する製品として実施されることができる。ここで使用されるように用語「製品」は、任意のコンピュータ可読デバイス、キャリア又は媒体からアクセス可能なコンピュータ・プログラムを包含するように意図される。例えば、コンピュータ可読媒体は、（例えば、ハード・ディスク、フロッピー（登録商標）・ディスク、磁気ストリップなどの）磁気記憶装置、（例えば、コンパクト・ディスク（ＣＤ）、（デジタル多目的ディスク（ＤＶＤ）などの）光ディスク、スマート・カード及び（例えば、カード、スティック、キー・ドライブなどの）フラッシュ・メモリ・デバイスを含むことができるが、これらに限定されるものではない。さらに、ここで説明された様々な記憶媒体は、１つ又は複数のデバイス及び／又は情報を格納するための他の機械可読媒体を表わすことができる。用語「機械可読媒体」は、命令及び／又はデータを格納し、保持し、及び／又は運ぶことができる様々な他のメディア及び無線チャネルを含むがこれらに限定されない。さらに、コンピュータ・プログラム製品は、ここで説明された機能を実行することをコンピュータにもたらす操作可能な１つ又は複数の命令又はコードを有するコンピュータ可読媒体を含むことができる。
【００９５】
さらに、ここで開示した態様に関連して説明した方法またはアルゴリズムのステップは、直接ハードウェアで実施するか、プロセッサによって実行されるソフトウェア・モジュールで実施するか、またはその２つの組み合わせで実施することができる。ソフトウェア・モジュールは、ＲＡＭメモリ、フラッシュ・メモリ、ＲＯＭメモリ、ＰＲＯＭメモリ、ＥＰＲＯＭメモリ、ＥＥＰＲＯＭメモリ、レジスタ、ハード・ディスク、リムーバブル・ディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるようにプロセッサに結合される。代替として、記憶媒体は、プロセッサに一体化することができる。更に、プロセッサおよび記憶媒体は、ＡＳＩＣ中に常駐することができる。さらに、ＡＳＩＣは、ユーザ端末に常駐することができる。代案において、プロセッサと記憶メディアはユーザ端末の個別のコンポーネントとして存在してもよい。代替として、いくつかの態様において、方法又はアルゴリズムのステップ及び／又は動作は、コンピュータ・プログラム製品に組み込まれることができる機械可読媒体及び／又はコンピュータ可読媒体上でコード及び／又は命令の１つ又は任意の組み合わせ又はセットとして常駐することができる。
【００９６】
先の開示が例示となる態様及び／又は態様について議論している一方、添付された請求項によって定義として説明された態様及び／又は態様の範囲から外れることなくここで行なうことができることに注意するべきである。従って、記述された態様は、添付された請求項の範囲内で起こる交替、修正及び変化のような全てを包含するように意図される。更に、説明された態様及び／又は態様の要素は、単数で説明又は権利を主張しているけれども、複数は、単数であることが明示的に述べられていない限り企図されることができる。さらに、任意の態様及び／又は態様の全て又は一部が他の方法で述べられていない限り、任意の他の態様及び／又は態様の全て又は一部で利用されることができる。
【００９７】
用語「含む（ｉｎｃｌｕｄｅ）」が明細書又は請求項のいずれかで使用される範囲において、その用語は、「備える（ｃｏｍｐｒｉｓｉｎｇ）」が請求項内の移行語（ｔｒａｎｓｉｔｉｏｎａｌ  ｗｏｒｄ）として使用される場合に解釈される用語「備える」に似た方法で包括されるように意図される。更に、明細書又は請求項のいずれかで使用される用語「又は」は、排他的な「又は」よりもむしろ包括的な「又は」を意味するように意図される。すなわち、他の方法で特定されないか、文脈から明らかでないフレーズ「Ｘは、Ａ又はＢを使用する」は、任意のナチュラルで包括的な置換の手段に対して意図される。すなわち、フレーズ「Ｘは、ＡまたはＢを使用する」は、以下の例の任意のものによって満たされる：Ｘは、Ａを使用する；Ｘは、Ｂを使用する；又は、Ｘは、ＡとＢの両方を使用する。更に、この明細書及び添付された請求項で使用される冠詞「ａ」と「ａｎ」は、単数形で指示されるよう他の方法で特定されないか文脈から明らかにされない限り、「１つ以上」を意味するように一般に解釈されるべきである。
【図１】
2011520301.tif 000003
【図２】
2011520301.tif 000004
【図３】
2011520301.tif 000005
【図４】
2011520301.tif 000006
【図５】
2011520301.tif 000007
【図６】
2011520301.tif 000008
【図７】
2011520301.tif 000009
【図８】
2011520301.tif 000010
【図９】
2011520301.tif 000011
【図１０】
2011520301.tif 000012
【図１１】
2011520301.tif 000013
【図１２】
2011520301.tif 000014
【図１３】
2011520301.tif 000015
【国際調査報告】
2011520301.tif 000016
2011520301.tif 000017